(57)【要約】【課題】  コンテンツ再生装置を切り換えるセレクタの操作を含むシステム連動動作を確実に実現する制御信号送信装置を提供する。【解決手段】  制御信号送信装置は、複数のコンテンツ再生装置の中から１つのコンテンツ再生装置を選択する選択部と、選択されたコンテンツ再生装置を制御する制御信号を送信する制御信号送信部と、所定のユーザー操作に応じて編集された複数の制御信号からなる組を選択部でのそれぞれの選択対象のコンテンツ再生装置毎に記憶する記憶部と、ユーザー操作を入力する操作入力部と、を備え、操作入力部において、選択部に一のコンテンツ再生装置を選択させるユーザー操作が入力された場合に、選択されたコンテンツ再生装置に対応する編集された複数の制御信号の組を、制御信号送信部が記憶部から読み出してコンテンツ再生装置に送信する。【選択図】  図２
2014216802.tif 000002
【特許請求の範囲】
【請求項１】
複数のコンテンツ再生装置が、接続可能である、又は内蔵されている制御信号送信装置であって、
前記複数のコンテンツ再生装置の中から１つのコンテンツ再生装置を選択する選択部と、
選択された前記コンテンツ再生装置を制御する制御信号を送信する制御信号送信部と、
所定のユーザー操作に応じて編集された複数の前記制御信号からなる組を前記選択部でのそれぞれの選択対象の前記コンテンツ再生装置毎に記憶する記憶部と、
前記ユーザー操作を入力する操作入力部と、を備え、
前記操作入力部において、前記選択部に一の前記コンテンツ再生装置を選択させるユーザー操作が入力された場合に、選択された前記コンテンツ再生装置に対応する編集された前記複数の制御信号の組を、前記制御信号送信部が前記記憶部から読み出して前記コンテンツ再生装置に送信する、
制御信号送信装置。
【請求項２】
前記操作入力部での前記ユーザー操作を記憶する操作記憶部をさらに備え、
前記操作入力部において、前記選択部に一の前記コンテンツ再生装置を選択させるユーザー操作が入力された場合に、前記操作記憶部が、その後の所定時間内に前記操作入力部に入力された最初の前記ユーザー操作を対応する制御信号に変換して記憶し、前記制御信号を、記憶されている編集された複数の前記制御信号からなる組の最初の制御信号と対比して、同一の制御信号である場合には、前記制御信号送信部が前記複数の制御信号の組を前記コンテンツ再生装置に送信し、同一の制御信号ではない場合には、前記制御信号送信部が前記複数の制御信号の組を前記コンテンツ再生装置に送信しない、
請求項１に記載の制御信号送信装置。
【請求項３】
前記選択部が一の前記コンテンツ再生装置を選択した場合に、前記操作記憶部が、その後に前記操作入力部に入力される一連の前記ユーザー操作を記憶し、所定の条件を満たす場合には、記憶した一連の前記ユーザー操作を、対応する編集された複数の前記制御信号からなる組に変換して前記記憶部に記憶する、
請求項２に記載の制御信号送信装置。
【請求項４】
前記所定の条件が、前記選択部が一の前記コンテンツ再生装置を選択した後に、前記操作入力部に入力される一連の前記ユーザー操作が、所定の複数回数以上に繰り返されたことを満足する場合を含む、
請求項３に記載の制御信号送信装置。
【請求項５】
前記所定の条件が、前記選択部が一の前記コンテンツ再生装置を選択した後に、前記操作入力部に入力される一連の前記ユーザー操作が、所定の時間以内に操作されたことを満足する場合を含む、
請求項３に記載の制御信号送信装置。
【発明の詳細な説明】
【技術分野】
【０００１】
本発明は、コンテンツ再生装置に制御信号を送信する制御信号送信装置に関し、特に、コンテンツ再生装置を切り換えるセレクタを切り換えた場合のシステム連動動作を実現する制御信号送信装置に関する。
【背景技術】
【０００２】
ＣＤプレイヤー、あるいは、ＤＶＤプレイヤー、等の音響再生装置、または、ＨＤＤビデオレコーダー、等の映像記録再生装置、などを含むコンテンツ再生装置は、アンプ装置などに接続されて使用される。アンプ装置は、これらとの接続を切り換えるセレクタを備えており、ユーザー操作によりセレクタを切り換えることで、例えば、スピーカーあるいはヘッドホンから音声出力すべき音声信号を供給するコンテンツ再生装置を選択することができる。アンプ装置は、複数のコンテンツ再生装置を内蔵して一体に構成されている場合もある。
【０００３】
アンプ装置は、コンテンツ再生装置とのシステム連動動作を可能にするように、コンテンツ再生装置と制御信号を送受信する制御線で接続されているものがある。制御線は、映像／音声信号を伝送する信号線と一体になっているＨＤＭＩ（登録商標）（High-Definition Multimedia Interface）等の場合の他に、独立した信号線で接続する場合、あるいは、無線通信で相互に接続されている場合、等を含む。アンプ装置は、操作パネルの入力ボタンを含む入力インターフェイスによる操作入力の他に、リモコン信号による操作入力を受けて、コンテンツ再生装置に制御信号を送信することが可能である。また、リモコン信号を送信するリモートコントローラーには、複数の制御命令を一組の命令として登録して順次送信するリモコンマクロ登録機能を有するものがある。
【０００４】
しかしながら、コンテンツ再生装置とのシステム連動動作が可能な場合であっても、セレクタを介して接続されているアンプ装置から見ると、セレクタ変更時に接続されているコンテンツ再生装置が不明な場合などには、セレクタ変更を伴う制御信号の送受信がうまくいかずに、所望の登録したリモコンマクロ動作が完結しない場合がある、等の問題がある。リモコンマクロは、所定の制御信号をいわば決め打ちで順次出力するので、アンプ装置とコンテンツ再生装置との状態によっては、アンプ装置からセレクタ変更後に送信した制御信号が、コンテンツ再生装置では受信できない場合がある。
【０００５】
例えば、従来には、セレクタが共通操作信号によって操作されるコンテンツ再生装置以外の時に、共通操作信号が入力された場合でも、適切な制御信号をコンテンツ再生装置に送信することができる制御信号送信装置を提供することを目的にして、複数のコンテンツ再生装置が接続可能又は内蔵されており、複数の前記コンテンツ再生装置の中から１つのコンテンツ再生装置を選択する選択手段と、ユーザー操作に応じて、複数の前記コンテンツ再生装置を制御するために共通で使用される共通操作信号が入力される操作信号入力手段と、複数の前記コンテンツ再生装置の中から、直近に、前記選択手段によって選択され、かつ、コンテンツを再生していた１つのコンテンツ再生装置を最終再生装置として記憶する記憶手段と、前記共通操作信号が入力されたとき、最終再生装置として特定される前記コンテンツ再生装置を制御するための制御信号を、前記コンテンツ再生装置に送信する制御信号送信手段とを備える、制御信号送信装置がある（特許文献１）。
【０００６】
【特許文献１】特許第５０２９８４０号公報
【発明の概要】
【発明が解決しようとする課題】
【０００７】
本発明は、上記の従来技術が有する問題を解決するためになされたものであり、その目的は、コンテンツ再生装置を切り換えるセレクタの操作を含むシステム連動動作を確実に実現する制御信号送信装置を提供することにある。
【課題を解決するための手段】
【０００８】
本発明の制御信号送信装置は、複数のコンテンツ再生装置が、接続可能である、又は内蔵されている制御信号送信装置であって、前記複数のコンテンツ再生装置の中から１つのコンテンツ再生装置を選択する選択部と、選択された前記コンテンツ再生装置を制御する制御信号を送信する制御信号送信部と、所定のユーザー操作に応じて編集された複数の前記制御信号からなる組を前記選択部でのそれぞれの選択対象の前記コンテンツ再生装置毎に記憶する記憶部と、前記ユーザー操作を入力する操作入力部と、を備え、前記操作入力部において、前記選択部に一の前記コンテンツ再生装置を選択させるユーザー操作が入力された場合に、選択された前記コンテンツ再生装置に対応する編集された前記複数の制御信号の組を、前記制御信号送信部が前記記憶部から読み出して前記コンテンツ再生装置に送信する。
【０００９】
好ましくは、本発明の制御信号送信装置は、前記操作入力部での前記ユーザー操作を記憶する操作記憶部をさらに備え、前記操作入力部において、前記選択部に一の前記コンテンツ再生装置を選択させるユーザー操作が入力された場合に、前記操作記憶部が、その後の所定時間内に前記操作入力部に入力された最初の前記ユーザー操作を対応する制御信号に変換して記憶し、前記制御信号を、記憶されている編集された複数の前記制御信号からなる組の最初の制御信号と対比して、同一の制御信号である場合には、前記制御信号送信部が前記複数の制御信号の組を前記コンテンツ再生装置に送信し、同一の制御信号ではない場合には、前記制御信号送信部が前記複数の制御信号の組を前記コンテンツ再生装置に送信しない。
【００１０】
また、好ましくは、本発明の制御信号送信装置は、前記選択部が一の前記コンテンツ再生装置を選択した場合に、前記操作記憶部が、その後に前記操作入力部に入力される一連の前記ユーザー操作を記憶し、所定の条件を満たす場合には、記憶した一連の前記ユーザー操作を、対応する編集された複数の前記制御信号からなる組に変換して前記記憶部に記憶する。
【００１１】
また、好ましくは、本発明の制御信号送信装置は、前記所定の条件が、前記選択部が一の前記コンテンツ再生装置を選択した後に、前記操作入力部に入力される一連の前記ユーザー操作が、所定の複数回数以上に繰り返されたことを満足する場合を含む。
【００１２】
また、好ましくは、本発明の制御信号送信装置は、前記所定の条件が、前記選択部が一の前記コンテンツ再生装置を選択した後に、前記操作入力部に入力される一連の前記ユーザー操作が、所定の時間以内に操作されたことを満足する場合を含む。
【００１３】
以下、本発明の作用について説明する。
【００１４】
本発明の制御信号送信装置は、複数のコンテンツ再生装置が、接続可能である、又は内蔵されている制御信号送信装置であって、複数のコンテンツ再生装置の中から１つのコンテンツ再生装置を選択する選択部と、選択されたコンテンツ再生装置を制御する制御信号を送信する制御信号送信部と、所定のユーザー操作に応じて編集された複数の制御信号からなる組を選択部でのそれぞれの選択対象のコンテンツ再生装置毎に記憶する記憶部と、ユーザー操作を入力する操作入力部と、を備える。制御信号送信装置は、操作入力部において、選択部に一の前記コンテンツ再生装置を選択させるユーザー操作が入力された場合に、選択されたコンテンツ再生装置に対応する編集された複数の制御信号の組を、制御信号送信部が記憶部から読み出してコンテンツ再生装置に送信する。
【００１５】
したがって、制御信号送信装置は、選択部においてコンテンツ再生装置を選択すると、選択したコンテンツ再生装置毎に所望のユーザー操作を記憶して対応する一連の制御信号を送信することができるので、選択部に接続されたコンテンツ再生装置にシステム連動を確実に動作させることができる。
【００１６】
好ましくは、本発明の制御信号送信装置は、操作入力部でのユーザー操作を記憶する操作記憶部をさらに備える。操作入力部において、選択部に一のコンテンツ再生装置を選択させるユーザー操作が入力された場合に、操作記憶部が、その後の所定時間内に操作入力部に入力された最初のユーザー操作を対応する制御信号に変換して記憶し、制御信号を、記憶されている編集された複数の制御信号からなる組の最初の制御信号と対比する。同一の制御信号である場合には、制御信号送信部が複数の制御信号の組をコンテンツ再生装置に送信し、同一の制御信号ではない場合には、制御信号送信部が複数の制御信号の組をコンテンツ再生装置に送信しない。
【００１７】
したがって、選択部においてコンテンツ再生装置を選択して、その後の所定時間内に操作入力部に入力された最初のユーザー操作が、記憶されていた編集された複数の制御信号からなる組の最初の制御信号に対応するユーザー操作であるならば、一連の制御信号を送信してシステム連動を確実に動作させることができる。一方で、選択部においてコンテンツ再生装置を選択するだけでは、記憶されたシステム連動の動作を開始せず、通常のコンテンツ再生装置の選択動作のみに留めることができる。すなわち、選択部においてコンテンツ再生装置を選択する場合に、本発明によるシステム連動動作をさせる場合と、選択動作のみに留める場合とを、ユーザー操作で容易に切り換えることができる。
【００１８】
また、本発明の制御信号送信装置は、好ましくは、選択部が一のコンテンツ再生装置を選択した場合に、操作記憶部が、その後に操作入力部に入力される一連のユーザー操作を記憶し、所定の条件を満たす場合には、記憶した一連のユーザー操作を、対応する編集された複数の制御信号からなる組に変換して記憶部に記憶する。
【００１９】
したがって、一連のユーザー操作を編集された複数の制御信号からなる組に変換するので、システム連動の動作を記憶させる作業が容易になる。好ましくは、所定の条件は、選択部が一のコンテンツ再生装置を選択した後に、操作入力部に入力される一連のユーザー操作が、所定の複数回数以上に繰り返されたことを満足する場合を含むようにしてもよい。また、所定の条件は、選択部が一のコンテンツ再生装置を選択した後に、操作入力部に入力される一連のユーザー操作が、所定の時間以内に操作されたことを満足する場合を含むようにしてもよい。
【発明の効果】
【００２０】
本発明の制御信号送信装置は、コンテンツ再生装置を切り換えるセレクタの操作を含むシステム連動動作を確実に実現することができ、システム連動の動作を記憶させる作業も容易にすることができる。
【図面の簡単な説明】
【００２１】
【図１】本発明の好ましい実施形態による制御信号送信装置を含むコンテンツ再生システム１について説明する図である。（実施例１）
【図２】アンプ装置１０でのセレクタ１６に対応する操作入力部１５および対応する一連の制御動作を説明する図である。（実施例１）
【図３】セレクタ１６によりいずれかのコンテンツ再生装置を選択する場合に、マイコン１１における動作制御を説明するフローチャートである。（実施例１）
【図４】セレクタ１６のいずれかの入力端子に、動作させたい所望のユーザー操作をマクロ登録する場合のマイコン１１における動作制御を説明するフローチャートである。（実施例１）
【図５】セレクタ１６のいずれかの入力端子に、動作させたい所望のユーザー操作をマクロ登録する場合のマイコン１１における動作制御を説明するフローチャートである。（実施例１）
【図６】本発明の他の好ましい実施形態による制御信号送信装置を含むコンテンツ再生システム１のアンプ装置１０において、セレクタ１６によりいずれかのコンテンツ再生装置を選択する場合に、マイコン１１における動作制御を説明するフローチャートである。（実施例２）
【発明を実施するための形態】
【００２２】
以下、本発明の好ましい実施形態による制御信号送信装置について説明するが、本発明はこれらの実施形態には限定されない。
【実施例１】
【００２３】
図１は、本発明の好ましい実施形態による制御信号送信装置を含むコンテンツ再生システム１について説明するブロック図である。具体的には、制御信号送信装置は、（図示しない）増幅回路を含むアンプ装置１０であり、セレクタを介して接続されるコンテンツ再生装置であるＣＤプレイヤー２、ＤＶＤプレイヤー３、チューナー４、リモートコントローラー５とともにコンテンツ再生システム１を構成する。なお、説明に不要な一部の構造や、内部構造等は、図示ならびに説明を省略している。
【００２４】
ＣＤプレイヤー２およびＤＶＤプレイヤー３は、（図示しない）ＣＤ（Compact Disc）あるいはＤＶＤ（Digital Versatile Disc）といったディスク記録媒体に記録されたコンテンツを再生するディスクプレイヤーであり、コンテンツ音声を音声信号として出力する。また、チューナー４は、無線信号またはインターネット回線等を通じて放送されている放送データまたは放送信号を、受信して復調して音声信号として出力する。アンプ装置１０は、ＣＤプレイヤー２、ＤＶＤプレイヤー３、チューナー４のいずれから入力される音声信号を増幅して、（図示しない）スピーカー又は（図示しない）ヘッドホンに出力することにより、コンテンツの音声を再生する。
【００２５】
アンプ装置１０は、コンテンツ再生システム１全体の動作を制御するマイコン１１と、ＣＤプレイヤー２、ＤＶＤプレイヤー３およびチューナー４と制御信号を送受信する制御信号入出力端子１２と、リモートコントローラー５からの無線制御信号または赤外線制御信号を受信する受信回路１３と、マイコン１１に接続してアンプ装置１０の制御に必要なデータを記憶するメモリ１４と、アンプ装置１０の操作入力回路１５と、を備える。マイコン１１は、リモートコントローラー５または操作入力回路１５からのユーザー操作を受けて、ＣＤプレイヤー２、ＤＶＤプレイヤー３、チューナー４が入力されるセレクタ１６の動作を制御する。
【００２６】
つまり、セレクタ１６は、マイコン１１からの制御信号により切り換えられる他に、リモートコントローラー５または操作入力回路１５からのユーザー操作により切り換えることができる。セレクタ１６は、本実施例では、ＣＤプレイヤー２、ＤＶＤプレイヤー３、チューナー４に対応する少なくとも３つの音声信号入力端子を備え、スイッチを切り換えることによりいずれかの音声信号入力を選択する。
【００２７】
ＣＤプレイヤー２、ＤＶＤプレイヤー３またはチューナー４から出力された音声信号は、それぞれ音声信号線２１、３１または４１を介して、アンプ装置１０のセレクタ１６に入力される。また、ＣＤプレイヤー２、ＤＶＤプレイヤー３またはチューナー４は、アンプ装置１０の制御信号入出力端子１２とそれぞれ制御信号線２２、３２または４２とで接続されている。音声信号線は、モノラル信号、ステレオ信号、マルチチャンネル信号を問わず、また、アナログ信号でも、デジタル信号でも良い。また、制御信号線は、音声信号線と独立に設ける制御線であっても良く、また、映像／音声信号を伝送する信号線と一体になっているＨＤＭＩ（登録商標）のように、音声信号線と一体に構成してもよい。
【００２８】
本実施例のアンプ装置１０では、セレクタ１６において選択するコンテンツ再生装置毎に、セレクタ１６を変更して選択した直後に動作させたい所望のユーザー操作を記憶しておくことができる。つまり、再生するコンテンツ再生装置としてＣＤプレイヤー２、ＤＶＤプレイヤー３またはチューナー４のいずれかをセレクタ１６を切り換えて選択した際に、次に動作させたい所望のユーザー操作をマクロ登録することができる。
【００２９】
図２は、アンプ装置１０でのセレクタ１６に対応する操作入力部１５および対応する一連の制御動作を説明する図である。図２を参照して、アンプ装置１０においてセレクタ１６を切り換えてコンテンツ再生装置を選択する動作について説明する。図２では、操作入力部１５を操作して、セレクタ１６によりＣＤプレイヤー２を選択してコンテンツを再生する場合である。アンプ装置１０において、セレクタ１６によりＣＤプレイヤー２を選択する（□の枠線が選択を示す）と、「ＣＤプレイヤー」に対応づけられてメモリ１４に記憶されている一連の制御信号「1. Power ON  ／  2. Random Mode ON  ／  3. Repeat Mode ON  ／  4. Play」が、ＣＤプレイヤー２に順次送信される。制御信号を受信したＣＤプレイヤー２は、「1. 電源を入れて  ／  2. Random Mode 動作に入り  ／  3. Repeat Mode 動作に入り  ／  4. 再生を開始する」という動作を行うことができる。
【００３０】
図２に示すように、セレクタ１６に接続される異なるコンテンツ再生装置毎に、ユーザー設定により、異なる動作させたい所望のユーザー操作を記憶しておくことができる。例えば、「ＤＶＤプレイヤー」には、「1. Power ON  ／  2. Language English  ／  3. Digital Out ON  ／  4. Play」という一連の制御信号を対応して記憶させることができる。また、「チューナー」には、「1. Power ON  ／  2. BAND FM  ／  3. Station 1」という一連の制御信号を対応して記憶させることができる。もちろん、上記の動作は、一例に過ぎず、セレクタ１６の選択に応じて、直後に何も動作させたくなければ、ユーザー設定により、マクロ登録を行わない、あるいは、この機能を無効にしておくこともできる。
【００３１】
図３は、セレクタ１６によりいずれかのコンテンツ再生装置を選択する場合に、マイコン１１における動作制御を説明するフローチャートである。セレクタ１６での選択対象が変更されると（Ｓ１０１）、動作させたい所望のユーザー操作がユーザー設定されているかを判別する（Ｓ１０２）。ユーザー設定されていない場合（Ｓ１０２：Ｎｏ）には、そのまま処理を終了する。ユーザー設定されている場合（Ｓ１０２：Ｙｅｓ）には、マイコン１１は、その選択対象に対応づけて記憶されている編集された複数の制御信号の組を、メモリ１４から読み出して、制御信号入出力端子１２を介してコンテンツ再生装置に送信する（Ｓ１０３）。複数の制御信号を送信し終わったか否かを判断して（Ｓ１０４）、送信が完了していなければ繰り返し送信し、送信が完了したら終了する。
【００３２】
したがって、アンプ装置１０のセレクタ１６においてコンテンツ再生装置を選択すると、メモリ１４には選択したコンテンツ再生装置毎に所望のユーザー操作が記憶されているので、マイコン１１は、対応する一連の制御信号をコンテンツ再生装置に送信することができる。その結果、セレクタ１６に接続されたコンテンツ再生装置を含めて、システム連動を確実に動作させることができる。
【００３３】
図４は、セレクタ１６のいずれかの入力端子に、動作させたい所望のユーザー操作をマクロ登録する場合のマイコン１１における動作制御を説明するフローチャートである。最初に、マイコン１１は、通常の再生動作を行う「通常モード」から「ユーザー設定モード」に移行する（Ｓ２０１）。次に、マイコン１１は、リモートコントローラー５または操作入力回路１５からのユーザー操作を受けて、これらのユーザー操作を制御信号に変換して記憶する（Ｓ２０２）。ユーザー操作による設定が完了したかどうかを判断して（Ｓ２０３）、設定が完了したら「ユーザー設定モード」を終了して再び「通常モード」へ移行する（Ｓ２０４）。ユーザーは、通常のユーザー操作と変わらない操作で一連の制御信号を記憶させることができる。
【００３４】
なお、一連の制御信号を記憶させるマイコン１１における動作制御は、上記の場合に限られない。システム連動の動作を記憶させるユーザー操作を容易にするために、セレクタ１６があるコンテンツ再生装置を選択した場合に、その後にリモートコントローラー５または操作入力回路１５に入力される一連のユーザー操作を、マイコン１１がメモリ１４に記憶し、所定の条件を満たす場合には、記憶した一連のユーザー操作を、対応する編集された複数の制御信号からなる組に変換してメモリ１４に記憶するようにしてもよい。
【００３５】
図５（ａ）および図５（ｂ）はそれぞれ、セレクタ１６のいずれかの入力端子に、動作させたい所望のユーザー操作をマクロ登録する場合のマイコン１１における動作制御を説明するフローチャートである。図５（ａ）の場合は、セレクタ１６が一つのコンテンツ再生装置を選択した後に、リモートコントローラー５または操作入力回路１５に入力される一連のユーザー操作が、所定の複数回数以上に繰り返されたことを満足する場合に対応する。また、図５（ｂ）の場合は、セレクタ１６が一つのコンテンツ再生装置を選択した後に、リモートコントローラー５または操作入力回路１５に入力される一連のユーザー操作が、所定の時間以内に操作されたことを満足する場合に対応する。
【００３６】
図５（ａ）を参照すると、最初に、マイコン１１は、セレクタ１６が一つのコンテンツ再生装置を選択した後におけるリモートコントローラー５または操作入力回路１５からの一連のユーザー操作を、メモリ１４に記憶する（Ｓ３０１）。次に、記憶されている過去のユーザー操作と今回のユーザー操作とが一致するか否かを判断し（Ｓ３０２）、一致しない場合には（Ｓ３０２：Ｎｏ）終了し、一致する場合には（Ｓ３０２：Ｙｅｓ）一致する回数をインクリメントしてカウントして（Ｓ３０３）、一致する回数が指定回数を超えたかどうかを判断する（Ｓ３０４）。指定回数を超えた場合（Ｓ３０４：Ｙｅｓ）には、ユーザー操作を制御信号に変換して記憶する（Ｓ３０５）。指定回数を超えていなければ（Ｓ３０４：Ｎｏ）、終了する。コンテンツ再生装置を選択するようにセレクタ１６を切り換えた後に、何回も同じユーザー操作を繰り返す場合には、半ば自動的にマクロ登録がされるので、次にセレクタをそのコンテンツ再生装置を選択するように切り換えると、同じユーザー操作を繰り返さずに済む利点がある。
【００３７】
一方で、図５（ｂ）を参照すると、最初に、マイコン１１は、セレクタ１６が一つのコンテンツ再生装置を選択した後の経過時間を計時し始める（Ｓ４０１）。そして、リモートコントローラー５または操作入力回路１５からの一連のユーザー操作を、メモリ１４に記憶し（Ｓ４０２）、所定の時間が経過したかどうかを判断する（Ｓ４０３）。所定の時間が経過していなければ（Ｓ４０３：Ｎｏ）、繰り返して一連のユーザー操作を記憶し（Ｓ４０２）、所定の時間が経過したら（Ｓ４０３：Ｙｅｓ）、記憶されたユーザー操作を制御信号に変換して記憶する（Ｓ４０４）。コンテンツ再生装置を選択するようにセレクタ１６を切り換えた直後の短時間のユーザー操作を登録できるので、セレクタ１６を切り換える動作に関連性の高いユーザー操作を、自動的に実行することができるようになる。
【実施例２】
【００３８】
次に、本発明の他の好ましい実施形態による制御信号送信装置を含むコンテンツ再生システム１について説明する。コンテンツ再生システム１を構成するアンプ装置１０、ＣＤプレイヤー２、ＤＶＤプレイヤー３、チューナー４、リモートコントローラー５は、先の実施例と共通するので説明を省略する。本実施例の場合には、先の実施例における図３のフローチャートが、図６のフローチャートに変更される。
【００３９】
図６は、本実施例でのアンプ装置１０において、セレクタ１６によりいずれかのコンテンツ再生装置を選択する場合に、マイコン１１における動作制御を説明するフローチャートである。セレクタ１６での選択対象が変更されると（Ｓ５０１）、動作させたい所望のユーザー操作がユーザー設定されているかを判別する（Ｓ５０２）。ユーザー設定されていない場合（Ｓ５０２：Ｎｏ）には、そのまま処理を終了する。ユーザー設定されている場合（Ｓ５０２：Ｙｅｓ）には、マイコン１１は、その後の所定時間内にリモートコントローラー５または操作入力回路１５に入力された最初のユーザー操作を特定して、それがユーザー設定された一連のユーザー操作の最初のものと一致するかどうかを判定する（Ｓ５０３）。この判断は、最初のユーザー操作に対応する制御信号を、記憶されている編集された複数の制御信号からなる組の最初の制御信号と対比することで行ってもよい。
【００４０】
ここで、同一のユーザー操作であると判断された場合（同一の制御信号であると判断された場合）（Ｓ５０３：Ｙｅｓ）には、その選択対象に対応づけて記憶されている編集された複数の制御信号の組を、メモリ１４から読み出して、制御信号入出力端子１２を介してコンテンツ再生装置に送信する（Ｓ５０４）。複数の制御信号を送信し終わったか否かを判断して（Ｓ５０５）、送信が完了していなければ繰り返し送信し、送信が完了したら終了する。一方で、同一のユーザー操作であると判断されなかった場合（同一の制御信号であると判断されなかった場合）（Ｓ５０３：Ｎｏ）にも、終了して複数の制御信号の組をコンテンツ再生装置に送信しない。
【００４１】
したがって、図２を参照して説明すると、アンプ装置１０のセレクタ１６において「ＣＤプレイヤー」を選択して、その後の所定時間内にリモートコントローラー５または操作入力回路１５から「1. Power ON」を最初に操作入力すると、ＣＤプレイヤー２には、「ＣＤプレイヤー」に対応づけられてメモリ１４に記憶されている一連の制御信号「1. Power ON  ／  2. Random Mode ON  ／  3. Repeat Mode ON  ／  4. Play」が、ＣＤプレイヤー２に順次送信される。制御信号を受信したＣＤプレイヤー２は、「1. 電源を入れて  ／  2. Random Mode 動作に入り  ／  3. Repeat Mode 動作に入り  ／  4. 再生を開始する」という動作を行う。
【００４２】
一方で、アンプ装置１０のセレクタ１６において「ＣＤプレイヤー」を選択して、その後の所定時間内に何もリモートコントローラー５または操作入力回路１５から操作しない、あるいは、「1. Power ON」以外の操作を最初に操作入力すると、記憶されている複数の制御信号の組をコンテンツ再生装置に送信しない。すなわち、セレクタ１６においてコンテンツ再生装置を選択するだけでは、記憶されたシステム連動の動作を開始しないで、セレクタ１６を切り換えるという通常のコンテンツ再生装置の選択動作のみに留めることができる。このように、セレクタ１６においてコンテンツ再生装置を選択する場合に、システム連動動作をさせる場合と、選択動作のみに留める場合とを、ユーザー操作で容易に切り換えることができる。
【００４３】
なお、本実施例のアンプ装置１０では、マイコン１１は、セレクタ１６での選択対象が変更された後の所定時間内に、操作入力部に入力された最初のユーザー操作を特定して、それがユーザー設定された一連のユーザー操作の最初のものと一致するかどうかを判定していたが、最初の一つのユーザー操作だけでなく、最初からの複数のユーザー操作を特定して対比してもよい。ユーザーが意図する操作が間違いなく反映されるようになる利点がある。
【００４４】
なお、上記実施例のアンプ装置１０は、音声信号を入力信号とするセレクタ１６を含む増幅装置であるが、映像信号を入力信号とするセレクタを含むＡＶアンプであってもよい。もちろん、アンプ装置１０は、ＣＤプレイヤー２、ＤＶＤプレイヤー３またはチューナー４といったコンテンツ再生装置を内蔵していてもよい。本発明の制御信号送信装置を含む再生システムは、パーソナルコンピューター等の電子計算機に内蔵されていてもよい。また、コンテンツが記録される記録媒体は、記録媒体再生装置とＨＤＭＩ（登録商標）あるいはＵＳＢ等の有線通信または無線通信により接続可能な外部装置に含まれるものあってもよく、クラウドコンピューティングを利用するものであってもよい。また、上記実施例のアンプ装置１０では、制御部であるマイコン２は、一つまたは複数のＣＰＵあるいはＤＳＰなどであって、制御処理および音声信号処理を行う演算回路であってもよい。
【産業上の利用可能性】
【００４５】
本発明の制御信号送信装置は、デジタル音声信号含むコンテンツを再生するステレオ装置、あるいは、マルチチャンネルサラウンド音声再生装置のみならず、ディスプレイ等の映像・音響機器、等にも適用が可能である。
【符号の説明】
【００４６】
１        コンテンツ再生システム
２        ＣＤプレイヤー
３        ＤＶＤプレイヤー
４        チューナー
５        リモートコントローラー
１０      アンプ装置
１１      マイコン
１２      制御信号入出力端子
１３      受信回路
１４      メモリ
１５      操作入力回路
１６      セレクタ
【図１】
2014216802.tif 000003
【図２】
2014216802.tif 000004
【図３】
2014216802.tif 000005
【図４】
2014216802.tif 000006
【図５】
2014216802.tif 000007
【図６】
2014216802.tif 000008